(57)【特許請求の範囲】
【請求項１】
液晶表示素子の背面からバックライトを与えるためのランプ本体と、前記液晶表示素子と前記液晶表示素子を駆動する駆動用回路とを実装したパネルと、前記ランプ本体に電源を供給するまたは前記駆動用回路を駆動するケーブルと、前記パネルの背面側に設けられ、前記パネル、前記ランプ本体および前記ケーブルを収納するバックライトシャーシ部と、前記パネル外周の上面から前記パネル端面を覆うようにＬ字状に形成され、前記パネル、前記ランプ本体および前記ケーブルを前記パネルの正面側から押さえ込む導電物とを備え、前記バックライトシャーシ部は、前記ケーブルの高圧側ケーブルと低圧側ケーブル間の距離を一定に保持するケーブル収納部を有し、前記ケーブル収納部は、ランプ本体から導出し、併走する前記高圧側ケーブルと前記低圧側ケーブルの距離を一定に保持するように前記両ケーブル間に前記バックライトシャーシ部の一部が介在され、前記ケーブル収納部は、前記高圧側ケーブルおよび前記低圧側ケーブルと前記導電物との距離を一定に保てるよう前記両ケーブルと前記導電物との間に前記バックライトシャーシ部の一部が介在されることを特徴とする液晶表示装置。
【請求項２】
前記導電物は、シールド性を有することを特徴とする請求項１記載の液晶表示装置。
【請求項３】
前記ケーブル収納部は、前記バックライトシャーシ部に一体成形されていることを特徴とする請求項１または２記載の液晶表示装置。
【請求項４】
前記バックライトシャーシ部と前記ケーブル収納部の材質は、絶縁性の樹脂であることを特徴とする請求項１〜３のいずれか一に記載の液晶表示装置。
【請求項５】
前記絶縁性の樹脂は、熱可塑性樹脂であることを特徴とする請求項４記載の液晶表示装置。
【請求項６】
前記ケーブル収納部は、前記高圧側ケーブルおよび前記低圧側ケーブルを別々に収納する、前記バックライトシャーシ部に互いに平行に形成された２つの溝により構成されていることを特徴とする請求項１〜５のいずれか一に記載の液晶表示装置。
【請求項７】
前記ランプ本体は、前記バックライトシャーシ部の長辺沿いに設けられ、前記ケーブル収納部は、前記バックライトシャーシ部の短辺沿いに設けられていることを特徴とする請求項１〜６のいずれか一に記載の液晶表示装置。
【請求項８】
光学シート類と、導光板・反射シートとを前記バックライトシャーシ部に収納する請求項１〜７のいずれか一に記載の液晶表示装置。
【発明の詳細な説明】
【０００１】
【発明の属する技術分野】
本発明は、液晶表示装置に関し、特に、ランプ用電源ケーブルまたは液晶表示装置の駆動用ケーブルをバックライトシャーシ部内に収納した収納部を備える液晶表示装置に関する。
【０００２】
【従来の技術】
近年、携帯型のパーソナルコンピュータの表示装置または携帯電話などに、液晶表示装置が用いられていることは、周知である。
【０００３】
そして、この液晶表示装置は、その駆動用のＬＳＩまたはその他の駆動用回路の実装上の制約によって、液晶表示装置本体の投影面積と実際の表示面積の間には大きな差があるのも、一般的に、周知である。
【０００４】
つまり、液晶表示装置は、実表示部の周辺に額縁部と呼ばれる、余剰な部分を有している。
【０００５】
このような従来技術の液晶表示装置は、例えば、特開平１０−０９６９２３号公報に開示されている。
【０００６】
液晶表示装置の場合、駆動回路の他に、液晶表示素子の背面からバックライトを与えるための、ランプの配置が必要である。一般にバックライトは、エッジランプ式背面光源と呼ばれる方式が一般的であり、サイドライトと称して用いられている。このサイドライトは、長尺上の蛍光ランプからの光を導光板を用いて液晶全面に均一に光が行き渡るように構成される。
【０００７】
このために、光源であるランプは、矩形状の表示面の２つの長辺に、つまりパーソナルコンピュータ画面の場合は、上下額縁部に配置される。さらに、上述の長尺上の蛍光ランプに電源を供給するための高圧側ケーブルと低圧側ケーブルも同じように額縁部に配置される。
【０００８】
図４は、特開平１０−０９６９２３号公報に開示されている液晶表示装置の全体を裏面から見た分離斜視概略図である。
【０００９】
この図４において、参照符号１００は、液晶表示装置本体であって、プラスチック構造材（プラスチックシャーシ）４０３に液晶表示素子や駆動装置を組み込んだものである。この液晶表示装置本体１００を構成するプラスチックシャーシ４０３の長辺に沿って設けられた溝（図示せず）に、ランプアッセンブリ１０１が組み込まれている。
【００１０】
液晶表示装置本体１００は、その前面側と後面側から、前側のメタルシャーシ（板金構造材）１０２と後側のメタルシャーシ（板金構造材）１０３で挟まれ、ビス１０４，１０４（１）で一体的に固定される。
【００１１】
図５は、特開平１０−０９６９２３号公報に開示されている液晶表示装置の要部を部分的に示す平面図で、図４におけるビス１０４（１）によって固定される部分を中心にして示すものである。
【００１２】
この図５において、網線の部分５０５は導光板を示し、その内側に点線で区画した部分５０５Ａはサイドライト発光領域を示す。
【００１３】
図４を参照すると、ランプ本体４０１は、その両端にゴムホルダ（４０６ａ、４０６ｂ）を有し、これらのゴムホルダ（４０６ａ、４０６ｂ）を貫通して、それぞれリード線（電線）（４０２ａ、４０２ｂ）が出ている。これらの電線（４０２ａ、４０２ｂ）のうち、一方の電線４０２ｂは、図中右方の液晶表示装置本体外へそのまま延びているが、他方の電線４０２ａはランプ本体４０１の左端近傍においてＵ字状に反転して右方へ延び、電線４０２ｂと平行に走り、電線４０２ａ同様液晶表示装置本体外に延在している。
【００１４】
これらの２本の電線（４０２ａ、４０２ｂ）は、その途中において、プラスチックシャーシ４０３の耳４０３Ａの部分に埋め込まれ、端部において電源供給コネクタ４０７に接続されている。この状態が特に図５に示される。
【００１５】
この図５からわかるように、プラスチックシャーシ４０３の一部に形成した２本の溝（４１０ａ、４１０ｂ）に２本の電線（４０２ａ、４０２ｂ）が、それぞれ嵌め込まれている。これらの２本の電線（４０２ａ、４０２ｂ）のうち、ランプ本体４０１から直線的に出て引っ張られやすい電線４０２ｂを、後側のメタルシャーシ１０３でこのプラスチックシャーシ４０３に押えつけて、電線４０２ｂがプラスチックシャーシ４０３に対してずれないようにしている。
【００１６】
【発明が解決しようとする課題】
しかしながら、液晶表示装置の消費電力の削減が進んだため、液晶表示装置単体での表示スペックは満足しているが、筐体等に液晶表示装置を組み込んだ場合、顧客先の違いにより組み込み状態が異なる。この組み込み状態の違いで表示スペックを満足しないことが生じていた。
【００１７】
その原因の１つにランプに電力を供給する２本の電線に基因する電圧リークの変動がある。２本の電線間、さらにこれらの電線とメタルシャーシあるいは筐体等を構成する他の導電物との間には寄生容量が生じる。筐体への液晶表示装置の組み込み状態の違いによりこれらの間隔が異なると寄生容量も変化する。この寄生容量の変化に基因して電圧低下が生じ、その結果、液晶表示装置の表示輝度がＭｉｎ状態で、ランプ点灯可能な点灯電流値を満足できず表示異常が発生する問題があった。
【００１８】
すなわち、図４，５に示した液晶表示装置１００では、液晶表示装置１００外へ２本の電線（４０２ａ、４０２ｂ）が出ているため、２本の電線（４０２ａ、４０２ｂ）固定方法及び収納方法により、２本の電線（４０２ａ、４０２ｂ）の低圧側電線４０２ａと高圧側電線４０２ｂ間の距離がばらつき、さらに、メタルシャーシあるいは筐体等を構成する他の導電物と２本の電線（４０２ａ、４０２ｂ）間の距離もばらつき、２本の電線（４０２ａ、４０２ｂ）からのリーク量が変動し、液晶表示装置の表示不良が発生していた。
【００１９】
したがって、本発明の目的は、液晶表示装置単体で、低圧側電線４０２ａと高圧側電線４０２ｂ間の距離及び導電物と低圧側電線４０２ａおよび高圧側電線４０２ｂとの距離を安定させ、２本の電線（４０２ａ、４０２ｂ）からのリーク量の変動を抑制できる構造の液晶表示装置を提供することにある。
【００２０】
【課題を解決するための手段】
本発明の液晶表示装置は、液晶表示素子の背面からバックライトを与えるためのランプ本体と、液晶表示素子と液晶表示素子を駆動する駆動用回路とを実装したパネルと、ランプ本体に電源を供給するまたは駆動用回路を駆動するケーブルと、パネルの背面側に設けられ、パネル、ランプ本体およびケーブルを収納するバックライトシャーシ部と、パネル、ランプ本体およびケーブルをパネルの正面側から押さえ込む導電物とを備え、バックライトシャーシ部は、ケーブルの高圧側ケーブルと低圧側ケーブル間の距離を一定に保持するケーブル収納部を有し、ケーブル収納部はバックライトシャーシ部に一体成形され、ケーブル収納部は、ランプ本体から導出し、併走する高圧側ケーブルと低圧側ケーブルの距離を一定に保持するように両ケーブル間にバックライトシャーシ部の一部が介在される。
【００２１】
また、本発明の上記の液晶表示装置は、ケーブル収納部は、高圧側ケーブルおよび低圧側ケーブルと導電物との距離を一定に保てるよう両ケーブルと導電物との間にバックライトシャーシ部の一部が介在される構成である。
【００２２】
ケーブル収納部は前記バックライトシャーシ部に一体成形される。
【００２３】
本発明の液晶表示装置のバックライトシャーシ部とケーブル収納部の材質は、絶縁性の樹脂であり、好ましくは熱可塑性樹脂である。
【００２４】
【作用】
本発明の液晶表示装置は、バックライトシャーシ部に高圧側ケーブルと低圧側ケーブル間の距離を一定に保持するケーブル収納部を有する。このケーブル収納部には、２本のケーブルを平行に、かつ、所定の高さに保持することができる形状の溝が設けられている。この構成により、２本のケーブルは一定の間隔に保持され、かつ、多種多様な筐体にセットされる際筐体等を構成する導電物とケーブルの間隔も一定となり、入力電圧リーク量の変動を抑制することができる。
【００２５】
【発明の実施の形態】
次に、図面を参照しながら、本発明の実施の形態を以下に詳述する。
【００２６】
本発明は、液晶表示装置５０（図１）に内蔵されている長尺状のランプ５の電源用またはインバータとの接続用のケーブル６をバックライトシャーシ部７に設けたケーブル収納部１２に収納することにより、低圧側ケーブル１０（図２）と高圧側ケーブル１１間の距離及び導電物（シールド（フロント）１など）とケーブル６間の距離を一定にするものである。
【００２７】
図１は、本発明の一実施の形態の液晶表示装置の構成部材を斜視図で表したものである。
【００２８】
図１を参照すると、本発明の一実施の形態の液晶表示装置５０は、パネル２と、光学シート類３と、導光板・反射シート４と、ランプ５と、ケーブル６を絶縁性のバックライトシャーシ部７内に収納し、導電性のシールド（フロント）１で、内容物を押さえ込む構造である。バックライトシャーシ部７の裏面側の形状は特に限定されず、必要に応じて図４に示すような開口部（矩形に限定されない）を有する構成とすることができる。開口部を設けることによりランプ５の放熱量の制御や液晶表示装置の軽量化等に有利となる。
【００２９】
本発明の一実施の形態の液晶表示装置５０のバックライトシャーシ部７とケーブル収納部１２は、一体成形された構成である。また、これらの材質は、絶縁性の樹脂を用いればよい。例えば、その絶縁性の樹脂は、ポリカーボネート樹脂等の熱可塑性樹脂が成形性良好であるため好適であるが、エポキシ樹脂やフェノール樹脂等の熱硬化性樹脂を用いることもできる。
【００３０】
本発明の一実施の形態の液晶表示装置５０の動作は、一般的に周知の動作を行う。すなわち、ケーブル６を介し電流を供給したランプ５の光が、導光板・反射シート４から光学シート類を通り、信号を入力し、駆動させたパネル２に入光することにより、液晶表示本体の液晶画面を表示させる。
【００３１】
図２（ａ）は、本発明の一実施の形態の液晶表示装置５０（図１参照）のバックライトシャーシ部７の側面（拡大部２１）の拡大図であり、図２（ｂ）は、図２（ａ）のＡ−Ａ線で切断したケーブル収納部の断面図である。図２（ａ）で、コネクタ部９および低圧側ケーブル１０を斜視的に記載しているが、これはコネクタ部９がバックライトシャーシ部７に固定されているのではないことを意図するためである。
【００３２】
図１，２を参照すると、本発明の一実施の形態の液晶表示装置５０のバックライトシャーシ部７の右側短辺には、ケーブル収納部１２が成型されており、ここへ低圧側ケーブル１０と高圧側ケーブル１１が収納される。即ち、バックライトシャーシ部７の長辺に沿って配置されたランプ５より導出されたケーブル６がコーナーで右側短辺に屈曲され、右側短辺にて２本のケーブル（低圧側ケーブル１０と高圧側ケーブル１１）が上下に平行に配置されている。そして、バックライトシャーシ部７の右側側面にコネクタ部９がバックライトシャーシ部７と独立して突出するように設けられている。なお、図２（ａ）のＡ−Ａ線が横切る矩形部分は、シールド（フロント）１をバックライトシャーシ部７に固定一体化するために設けられる嵌合用の突起である。
【００３３】
図３（ａ）は、本発明の一実施の形態の液晶表示装置５０側面（拡大部２２）の拡大図であり、図３（ｂ）は、図３（ａ）のＢ−Ｂ線で切断したケーブル収納部の断面図である。
【００３４】
図３を参照すると、本発明の一実施の形態の液晶表示装置５０のシールド（フロント）１は、液晶表示装置５０の本体外周の上面から端面を覆うようにＬ字状に形成されている。但し、外部との接続用のコネクタ部９においてケーブルが本発明の一実施の形態の液晶表示装置５０の外に引き出され、外部（筐体）電源部と接続できるように、ケーブル引き出し部１３は開口加工されている。
【００３５】
次に、バックライトシャーシ部７に設けられたケーブル収納部１２の役割について説明する。図２の低圧側ケーブル１０と高圧側ケーブル１１間の距離のばらつき及び図１に示すシールド（フロント）１とケーブル６間の距離のばらつきにより、入力電圧リーク量が変動してしまう。
【００３６】
そこで、低圧側ケーブル１０と高圧側ケーブル１１間の距離及び導電物（シールド（フロント）１等）とケーブル６間の距離を一定に保てるような形状に、図２のバックライトシャーシ部７にケーブル収納部１２を形成し、低圧側ケーブル１０と高圧側ケーブル１１を収納することにより、低圧側ケーブル１０と高圧側ケーブル１１間の距離及びシールド（フロント）１とケーブル６間の距離を一定に保ち、入力電圧リーク量の変動を抑制する。
【００３７】
また、本発明の一実施の形態の液晶表示装置の収納部１２及びケーブル引き出し部１３を加工する位置は、本発明の一実施の形態の液晶表示装置５０の表示異常をきたさないケーブル間の距離および導電物間での距離が、液晶表示装置の表示輝度がＭｉｎ状態で、ランプ点灯可能な点灯電流値を満足するように設定される。
【００３８】
次に、本発明の一実施の形態の液晶表示装置のケーブル収納部１２の形状について説明する。
【００３９】
図３において、低圧側ケーブル１０と高圧側ケーブル１１間の距離及び導電物（シールド（フロント）１等）とケーブル６間の距離を一定に保つために、ケーブル収納部１２を断面形状がコの字型等の溝として設けている。
【００４０】
ここで、ケーブル収納部１２の位置およびケーブル長は、筐体への組み込み後に、液晶表示装置のケーブルコネクタ部９と筐体電源部との接続時、追加ケーブルが不要な位置および長さとする。
【００４１】
また、ケーブル固定方法は、特に限定されないが、ケーブル収納部１２の外部に通じる開口側から、例えば、へら等の治具でケーブルを押し込む。ケーブル収納部１２である断面形状がコの字型等溝の末端の幅をケーブル径より狭くし、その末端にケーブルを挟んで、固定することができる。
【００４２】
上記一実施の形態においては、ケーブル収納部１２をバックライトシャーシ部７の右短辺側に設けているが、ケーブル収納スペース上許されるならば、バックライトシャーシ部７の長辺に沿って設けることもできるし、液晶表示装置５０の裏面に設けることもできる。
【００４３】
【発明の効果】
以上説明した通り、本発明によれば、まず第１に、低圧側ケーブルと高圧側ケーブルをバックライトシャーシ部７に設けたケーブル収納部１２に一定の間隔で収納し、かつ、ケーブルと導電部（シールド（フロント））とを一定の間隔に保持することにより、入力電圧リーク量の変動を抑制でき、液晶表示装置単体でのリーク量の安定が保てるので、多種多様な筐体へのセットが可能となる効果がある。
【００４４】
第２の効果として、ケーブル収納部１２は、バックライトシャーシ部７成型時に形成可能であることから、ケーブル６の固定の為のテープ等の付属部品が不要になり、液晶表示装置のコストダウンにつながる効果もある。
【図面の簡単な説明】
【図１】本発明の一実施の形態の液晶表示装置の構成図である。
【図２】本発明の一実施の形態の液晶表示装置の側面拡大図である。
【図３】本発明の一実施の形態の液晶表示装置の側面拡大図である。
【図４】従来の液晶表示装置の構成の模式図である。
【図５】従来の液晶表示装置の構成の部分拡大模式図である。
【符号の説明】
１    シールド（フロント）
２    パネル
３    光学シート類
４    導光板・反射シート
５    ランプ
６    ケーブル
７    バックライトシャーシ部
９    コネクタ部
１０    低圧側ケーブル
１１    高圧側ケーブル
１２    ケーブル収納部
１３    ケーブル引き出し部
２１，２２    拡大部
５０    液晶表示装置
１００    液晶表示装置本体
１０１    ランプアセンブリ
１０２，１０３    メタルシャーシ
１０４    ビス
４０１    ランプ本体
４０２ａ，４０２ｂ    リード線
４０３    プラスチックシャーシ
４０３Ａ    プラスチックシャーシの耳
４０６ａ，４０６ｂ    ゴムホルダ
５０５    導光板
５０５Ａ    サイドライト発光領域
【図１】
0003673781.tif 000002
【図２】
0003673781.tif 000003
【図３】
0003673781.tif 000004
【図４】
0003673781.tif 000005
【図５】
0003673781.tif 000006